(57)【要約】      （修正有）【課題】新聞紙を簡単に綴じ込むことができ、さらに新聞を手元にとって読む際に、簡単に新聞紙を折り畳むことができ、ページごとの新聞紙がずれることのない新聞紙綴を提供する。【解決手段】少なくとも一方の側面が開口している中空の棒状基体１の一方の端部に、新聞紙支え棒２の端部を固定して、棒状基体の中空部に新聞紙支え棒２を設置し、かつ棒状基体１の他方の端部を開口部４とし、さらに棒状基体１の新聞紙支え棒２の固定部近傍に新聞紙係止具３を設置した新聞紙綴部材であって、新聞紙支え棒２の固定部と新聞紙係止具３の設置部とが棒状基体の右方の一端にある新聞紙綴部材Ａと、該固定部と該設置部とが左方の一端にある新聞紙綴部材Ｂとからなる新聞紙綴。【選択図】図１
0003144265.tif 000002
【実用新案登録請求の範囲】
【請求項１】
少なくとも一方の側面が開口している中空の棒状基体の一方の端部に、新聞紙支え棒の端部を固定して、棒状基体の中空部に新聞紙支え棒を設置し、かつ棒状基体の他方の端部を開口部とし、さらに棒状基体の新聞紙支え棒の固定部近傍に新聞紙係止具を設置した新聞紙綴部材であって、新聞紙支え棒の固定部と新聞紙係止具の設置部とが棒状基体の右方の一端にある新聞紙綴部材Ａと、該固定部と該設置部とが左方の一端にある新聞紙綴部材Ｂとからなる新聞紙綴。
【請求項２】
請求項１に記載の新聞紙綴において、新聞紙係止具は、板バネと、板バネの先端に取り付けられ、かつ板バネの弾性を利用することで新聞紙に着脱可能となっている係止爪と、棒状基体に摺動可能に取り付けられた押圧ボタンとからなり、押圧ボタンを一方向に摺動することで、係止爪を新聞紙に押着させ新聞紙を係止し、また押しボタンを逆方向に摺動することで、係止爪を新聞紙から脱離させ新聞紙の係止を解除できることを特徴とする新聞紙綴。
【請求項３】
請求項１もしくは２に記載の新聞紙綴において、新聞紙綴部材Ａ及びＢの棒状基体の新聞紙係止具が設置された面の反対面に、それぞれ面ファスナーを設置し、新聞紙綴部材ＡとＢとを相互に着脱可能としたことを特徴とする新聞紙綴。
【考案の詳細な説明】
【技術分野】
【０００１】
本考案は新聞紙を簡単に綴じ込めると共に、綴じ込んだ状態で折り畳み可能な新聞紙綴に関する。
【背景技術】
【０００２】
最近の新聞はページ数も多く、新聞を手元にとって読む際に、卓上で読む場合とは違って、新聞紙を折り畳んだり、ページをめくったりするたびに、ページごとの新聞紙がずれて垂れ下がり大変読み辛い。このような状態を避けるために、新聞紙の背折部をステープラーにより綴じ込むことも行われているが、ページをめくったりするうちに、とじた針の周辺の新聞紙が破れ、とじ込みがはずれてしまうことが多かった。
【０００３】
また、新聞紙を簡単に綴じ込み、かかる綴じ込み状態にて、折り畳み可能とした新聞紙綴もすでに新聞紙用バインダーとして提案されている（特許文献１）。この新聞紙用バインダーは、新聞紙の縦長とほぼ同一の長さを持つバインダー杆体の中央部分にヒンジ部を設け折り曲げ可能とし、この杆体両端および中央部に設けたとじ込み部により、新聞紙を綴じ込むことで、新聞紙を保持した状態で、バインダーと共に新聞紙を折り畳み可能としたものである。このバインダーではステープラーによる綴じ込みに比べ、新聞紙の綴じ込みがはずれることもなく、新聞紙の折り畳みもできるものではあるが、新聞紙を折り畳むのに、ヒンジ部のロックを外し、長いバインダーを折り畳むのは結構手間のかかるものであった。
【０００４】
【特許文献１】実開平３−９８０８３号公報
【考案の開示】
【考案が解決しようとする課題】
【０００５】
本考案は上記のような従来の手段の欠点を解消し、新聞紙を簡単に綴じ込むことができ、さらに新聞を手元にとって読む際に、簡単に新聞紙を折り畳むことができ、ページごとの新聞紙がずれることのない新聞紙綴を提供する。
【課題を解決するための手段】
【０００６】
本考案の新聞紙綴は、少なくとも一方の側面が開口している中空の棒状基体の一方の端部に、新聞紙支え棒の端部を固定して、棒状基体の中空部に新聞紙支え棒を設置し、かつ棒状基体の他方の端部を開口部とし、さらに棒状基体の新聞紙支え棒の固定部近傍に新聞紙係止具を設置した新聞紙綴部材であって、新聞紙支え棒の固定部と新聞紙係止具の設置部とが棒状基体の右方の一端にある新聞紙綴部材Ａと、該固定部と該設置部とが左方の一端にある新聞紙綴部材Ｂとで構成されている。
【０００７】
さらに上記に記載の新聞紙綴において、新聞紙係止具は、板バネと、板バネの先端に取り付けられ、かつ板バネの弾性を利用することで新聞紙に対して着脱可能となっている係止爪と、棒状基体に摺動可能に取り付けられた押圧ボタンとからなり、押圧ボタンを一方向に摺動することで、係止爪を新聞紙に押着させ新聞紙を係止し、また押しボタンを逆方向に摺動することで、係止爪を新聞紙から脱離させ新聞紙の係止を解除できることを特徴とするものである。
【０００８】
また上記に記載のそれぞれの新聞紙綴において、新聞紙綴部材Ａ及びＢの棒状基体の新聞紙係止具が設置された面の反対面に、それぞれ面ファスナーを設置し、新聞紙綴部材ＡとＢとを相互に着脱可能としたことも特徴とする。
【考案の効果】
【０００９】
本考案の新聞紙綴を構成する各新聞紙綴部材は上記した構造となっているため、簡単に新聞紙を綴じることができる。すなわち、新聞紙の背折部を棒状基体の開口した一端から差込み、新聞支え棒を背折部に通し、他の一端まで差し込んだ後、この一端に設置した新聞紙係止具の押圧ボタンを摺動させ、係止爪で新聞紙を係止する手順で簡単に新聞紙を綴じこむことができる。
【００１０】
さらに、本考案の新聞紙綴は、新聞紙係止具などが右端と左端にそれぞれ設置された、一対の新聞紙綴部材Ａ及びＢとからなっており、新聞紙の背折部の上部分と下部分とにそれぞれ各部材を取り付け、新聞紙を綴じる。そのため、新聞紙を綴じた状態で簡単に折り畳み、新聞を読むことができる。
【００１１】
このように、本考案の新聞紙綴は、新聞紙を簡単に綴じ込むことができ、さらに新聞を手元にとって読む際に、簡単に新聞紙を折り畳むこともできる新聞紙綴である。
【考案を実施するための最良の形態】
【００１２】
以下、本考案の実施の形態につき、図を参照にして説明する。
【００１３】
図１は本考案の新聞紙綴を構成する新聞紙綴部材Ａ及びＢの説明斜視図である。新聞紙綴部材Ａは、手前の側面が開口しているコ字状断面を持つ中空の棒状基体１と、棒状基体１の右方端部において固定部材６で端部を固定され、棒状基体１の中空部に設置された新聞紙支え棒２と、さらに棒状基体１の右方端部に設置された新聞紙係止具３とから構成されている。新聞紙綴部材Ａの棒状基体１は左方端部が開口部４となっており、新聞紙支え棒２の先端５が開口部４の近くに位置している。この開口部４において、新聞紙の背折部を新聞支え棒２の先端５に架け、開口部４から中空部に新聞紙を差し込むことができる。この新聞紙を差し込む作業を容易にするためには、先端５は開口部４より、少し外にはみ出しており、また先端５の形状は丸みを持った形状とすることが好ましい。図３は、新聞紙１０を新聞紙支え棒２に架け、棒状基体１の中空部を通し、固定部材６に突き当たるまで差し込み、ついで右方端部に設置された新聞紙係止具３の係止爪８で係止し綴じた状態を示す説明図である。
【００１４】
図１の新聞紙綴部材Ｂにおいては、新聞紙支え棒２´の固定部と新聞紙係止具３´の設置部とが棒状基体１´の左方端部となっており、新聞紙綴部材Ａに対し左右逆の鏡面対象形になっている。したがって、新聞紙綴部材Ｂでは、右方の開口部４´において、新聞紙の背折部は新聞紙支え棒２´の先端５´に架けられ、開口端部４´から新聞紙を差し込まれることになる。図４は、新聞紙の縦長のほぼ半分の長さを持つ新聞紙綴部材Ａ及びＢとからなる本考案の新聞紙綴で、新聞紙１０を綴じた状態の説明図である。新聞紙１０は新聞紙綴部材Ａ及びＢとにより、背折部の上部分と下部分とが綴じられている。このように綴じられた新聞紙は、図５に示すように新聞を手にとって読む際に、簡単に折り畳むことができる。
【００１５】
図１では、新聞紙綴部材Ａ及びＢに用いられる棒状基体１または１´の形状はコ字状断面の中空棒状としたが、断面形状はＵ字状であっても半円状であってもよく、新聞紙支え棒２や２´が設置でき、新聞紙の背折部が収納できる中空部を持つ形状であればよい。さらには、棒状基体としては、間隙を持たせて組み合わせた上下２枚の板状体で構成し、間隙を中空部としたもの、すなわち両側の側面と一方の端面を開口したものでもよい。
【００１６】
新聞紙係止具３の構造を図２及び図３により説明する。新聞紙係止具３は板バネ７と、板バネ７に取り付けられた係止爪８と、押圧ボタン９とからなっている。係止爪８は板バネ７の弾性により上下に遥動可能で、かつ上方向に付勢されており、押圧ボタン９は左右に摺動可能となっている。押圧ボタン９を図２の位置から、図３の位置に摺動すると、係止爪８は新聞紙係止棒２方向に押し付けられる。そして、図３に示すように係止爪８は新聞紙係止棒２に架けられた新聞紙１０に押着され、新聞紙１０を係止する。押圧ボタン９を図２の位置に戻せば、板バネ７の弾性力により係止爪８は新聞紙１０から脱離し、新聞紙１０の係止は解除される。
【００１７】
新聞紙係止具３はこのように、押しボタン９を左右に摺動させることで、係止爪８による新聞紙を係止したり、係止を外したりすることができ、簡単な作業で新聞紙を綴じたり、外したりすることができる。さらに、ねじなどによる新聞紙の係止における外したねじの紛失などのトラブルもない。
【００１８】
係止爪８はその機能を発揮するためには、先端が錐状となっていることが好ましい。また図に示した形態では、係止爪８は板バネ７の先端に取り付けた構造としたが、板バネの先端を係止爪に加工し、板バネの一部を係止爪とした構造でもよい。さらに、板バネは平面状の板だけでなく、アーチ状としたり、屈曲させたりした形状のものでもよく、取り付けた係止爪８が上下に遥動可能となっており、押圧ボタン９を摺動させることで新聞紙に着脱できるようになっていればよい。
【００１９】
さらに、図６に示すように、棒状基体１の新聞紙係止具３が設置された面の反対面に、面ファスナー１１を設置し、新聞紙綴部材ＡとＢとを相互に着脱可能とした新聞紙綴は、折り畳んだ状態を維持したり、外したり自在にでき、新聞を手元にとって読む場合には便利なものである。面ファスナーは通常ループ面とフック面とのセットで使用されるため、新聞紙綴部材ＡとＢとでは、一方にループ面を設置した場合には、他方にフック面を設置する。尚、ループとフックとが共用の面ファスナーではこの限りではない。
【００２０】
本考案の新聞紙綴部材ＡやＢを構成する材料はプラスチック、金属、木材など特に限定されないが、手元にとって使う観点から、板バネ以外はプラスチック、アルミニウム、木材などの軽量の材料を用いることが好ましい。また、板バネは鋼製のほかプラスチック製であってもよいが耐久性の面からは鋼製が好ましい
【００２１】
以上のように、本考案の新聞紙綴は、新聞紙の背折部の上下の部分を一対の新聞紙綴部材ＡとＢとで綴じ込み、折り畳み自在とし、新聞を手元にとって読む際に、簡単に新聞紙を折り畳むことができ、ページごとの新聞紙がずれることのない新聞紙綴である。
【産業上の利用可能性】
【００２２】
本考案の新聞紙綴は新聞紙に好ましく使用されるものではあるが、製本されていない書類や図面などを綴じるのにも応用することができる。
【図面の簡単な説明】
【００２３】
【図１】本考案の新聞紙綴の説明斜視図である。
【図２】本考案の新聞紙綴部材Ａの断面説明図である。
【図３】本考案の新聞紙綴部材Ａで新聞紙を綴じ込んだ説明図である。
【図４】本考案の新聞紙綴で新聞紙を綴じ込んだ説明図である。
【図５】本考案の新聞紙綴で綴じ込んだ新聞紙を折り畳んだ説明図である。
【図６】本考案の新聞紙綴部材Ａに面ファスナー設置した説明図である。
【符号の説明】
【００２４】
Ａ  支え棒の固定部と新聞紙係止具とが棒状基体の右方の一端にある新聞紙綴部材
Ｂ  支え棒の固定部と新聞紙係止具とが棒状基体の左方の一端にある新聞紙綴部材
１、１´  棒状基体
２、２´  新聞紙支え棒
３、３´  新聞紙係止具
４、４´  棒状基体の開口部
５、５´  先端
６、６´  固定部材
７    板バネ
８    係止爪
９    押圧ボタン
１０  新聞紙
１１  面ファスナー
【図１】
0003144265.tif 000003
【図２】
0003144265.tif 000004
【図３】
0003144265.tif 000005
【図４】
0003144265.tif 000006
【図５】
0003144265.tif 000007
【図６】
0003144265.tif 000008